(57)【特許請求の範囲】
【請求項１】
並行してライン状に複数配置される第１の電極と、前記第１の電極とは立体交差して、並行してライン状に複数配置される第２の電極と、前記第１の電極と前記第２の電極とが立体交差する領域に配置される発色層と、を有するエレクトロクロミック表示デバイスと、
電位Ｖ４を出力する第１の出力回路と、電位Ｖ３（Ｖ３＞Ｖ４）を出力する第２の出力回路とを有し、前記第１の電極に接続される第１電圧切替部と、
電位Ｖ１（Ｖ１＞Ｖ３）又は電位Ｖ５（Ｖ５＜Ｖ３）を出力する第３の出力回路と、電位Ｖ２（Ｖ２＜Ｖ１）を出力する第４の出力回路とを有し、前記第２の電極に接続される第２電圧切替部と、
前記第１電圧切替部と前記第２電圧切替部を制御する制御部と、を備え、
前記制御部は、
前記第１の電極と前記第２の電極との間に通電する通電期間を、第１期間と第２期間に分割して、
前記第１電圧切替部の出力を前記電位Ｖ３から、前記通電期間前記電位Ｖ４に制御し、
前記第２電圧切替部の出力を前記電位Ｖ２から、前記第１期間は前記電位Ｖ１に、前記第２期間は前記電位Ｖ５に制御し、
前記第１期間の長さ及び前記第２期間の長さと、前記電位Ｖ１、前記電位Ｖ３及び前記電位Ｖ５とを、前記第１電極と前記第２電極との間に、前記第１期間で蓄積された電荷を前記第２期間で略除去する値となるように設定することを特徴とする表示装置。
【請求項２】
請求項１に記載の表示装置において、
前記第２の出力回路は、抵抗を介して前記第１の電極に接続されることを特徴とする表示装置。
【請求項３】
請求項１又は２に記載の表示装置において、
前記第４の出力回路は、抵抗を介して前記第２の電極に接続されることを特徴とする表示装置。
【請求項４】
請求項１から請求項３の何れか一項に記載の表示装置において、
前記第２期間の長さは、前記第１期間の長さと略同一に設定され、
前記電位Ｖ５と前記電位Ｖ３との差｜Ｖ５−Ｖ３｜は、前記電位Ｖ１と前記電位Ｖ３との差｜Ｖ１−Ｖ３｜よりも大きく設定されていることを特徴とする表示装置。
【請求項５】
請求項１から請求項４の何れか一項に記載の表示装置において、
前記電位Ｖ５は、Ｖ５≧Ｖ４となるよう設定されていることを特徴とする表示装置。
【請求項６】
請求項１から請求項５の何れか一項に記載の表示装置において、
前記電位Ｖ２は、Ｖ２＜０となるよう設定され、
前記電位Ｖ３は、Ｖ３＞０となるよう設定されていることを特徴とする表示装置。
【発明の詳細な説明】
【技術分野】
【０００１】
本発明は、表示装置に関する。
【背景技術】
【０００２】
電子情報ネットワークの普及に伴い、従来の印刷技術による書籍に代わり、電子書籍の形での出版、すなわち電子出版が盛んに行われるようになってきた。こうしたネットワークで配信される電子情報を表示する装置として、例えば、ＣＲＴ（Cathode Ray Tube）ディスプレイやバックライト型液晶ディスプレイが用いられている。しかし、これらのディスプレイを用いた表示は、紙に印刷した慣用の表示に比べ、読む場所が制限され、取り扱いの面においても重量、大きさ、形状、携帯性の点で劣る。また、これらのディスプレイは消費電力が大きいため、電池による駆動であれば表示時間にも制限が生じてしまう。さらに、これらのディスプレイは、何れも発光型のディスプレイであり、長時間凝視すると高度の疲労を招くことがあるという問題もある。
【０００３】
したがって、上記のような問題を解決できる表示デバイス、さらには、書き換え可能な表示デバイスが望まれている。このような表示デバイスとして、ペーパーライクディスプレイ或いは電子ペーパーと称するものが提案されている。具体的には、例えば、反射型液晶方式の表示デバイス、電気泳動方式の表示デバイス、二色性の粒子を電場で回転させる方式の表示デバイス、エレクトロクロミック方式の表示デバイス等がこれまでに提案されている。
【０００４】
ところで、エレクトロクロミック方式の表示デバイス（エレクトロクロミック表示デバイス）において、画像の表示は、選択された画素（選択画素）を発色させるための通電（具体的には、選択画素を形成するライン電極（対向電極）に負電圧、当該選択画素を形成するデータ電極（表示電極）に正電圧を印加すること）によって実施され、表示した画像の消去は、選択画素を発色させるための通電とは逆方向の通電（具体的には、当該対向電極に正電圧、当該表示電極に負電圧を印加すること）によって実施される。
【０００５】
しかし、電極間は電解質溶液で満たされているため、選択画素を発色させるための通電によって、当該選択画素を形成する電極間は、分極して、電解コンデンサや電池のような状態となる。すなわち、選択画素を発色させるための通電の後は、当該選択画素を形成する電極間に電荷が残存する。この電荷は、電解質溶液を介して周辺へと移動し、非選択画素を形成する電極間へも移動する。したがって、例えば、高速スキャンを行って、一の画像を繰り返し表示すると、残存する電荷が消滅する前に次の通電が行われるため、非選択画素を形成する電極間に電荷が蓄積して、当該非選択画素が発色してしまい、選択画素が滲んだような不鮮明な画像が表示されてしまうという問題がある。そこで、残存する電荷の移動を防止するために、画素同士の間に画素間を分離するための隔壁を形成することが考えられるが、隔壁の形成には、位置合わせ等の正確性や緻密性が要求され、作製にかかる負担が大きい。
【０００６】
そこで、例えば、図１３（ａ）に示すように、選択画素を形成する対向電極を負電極、当該選択画素を形成する表示電極を正電極として、電極間に第１電位差の電圧を印加し、その直後に、当該対向電極を正電極、当該表示電極を負電極として、電極間に第１電位差と同等又はそれ以上の第２電位差の電圧を印加する印加処理を行う手法が提案された（例えば、特許文献１参照）。
すなわち、選択画素を発色させるための通電の直後に、当該通電とは逆方向の通電を行い、当該選択画素を形成する電極間に発生した電荷を解消（除去）することによって、電荷が残存しないようにしている。そのため、残存する電荷の影響で非選択画素が発色してしまうことがなく、８ｍ秒／ライン程度の高速スキャンを行っても、高品質な画像を表示することができる。
【先行技術文献】
【特許文献】
【０００７】
【特許文献１】特開２０１０−２６１９８３号公報
【発明の概要】
【発明が解決しようとする課題】
【０００８】
しかしながら、特許文献１においては、非選択画素を形成する対向電極や表示電極の電位を制御していないので、非選択画素を形成する対向電極や表示電極の電位が表示する画像等に応じて変化する。選択画素を形成する対向電極と表示電極との間の第１電位差の電圧印加に伴って、選択画素を形成する電極と非選択画素を形成する電極との間にも電圧が印加されるが（図１３（ｂ）参照。図１３（ｂ）は選択画素を形成する表示電極と非選択画素を形成する対向電極との間に印加される電圧を示す。）、非選択画素を形成する対向電極や表示電極の電位が表示する画像等に応じて変化すると、選択画素を形成する電極と非選択画素を形成する電極との間に発生した電荷を十分に除去できない場合がある。
特に、対向電極は、１行目→２行目→３行目→…の順に選択されるので、同じ対向電極が連続して選択されることはない。これに対し、表示電極は、例えば、１行目の対向電極が選択されると、１行目の発色すべき画素を形成する表示電極が選択され、２行目の対向電極が選択されると、２行目の発色すべき画素を形成する表示電極が選択されるので、同じ表示電極が連続して選択される場合がある。そのため、選択画素を形成する表示電極と非選択画素を形成する対向電極との間には電荷が残存し易く、特許文献１に記載の手法を用いても、１ｍ秒／ライン程度の高速スキャンを行うと、表示電極に沿った線状の滲みが目立つ低品質な画像が表示されてしまう場合があることが分かった。
【０００９】
本発明の課題は、パッシブマトリクス駆動のエレクトロクロミック表示デバイスを備える表示装置において、高品質な画像を高速かつ低消費電力で表示することにある。
【課題を解決するための手段】
【００１０】
上記課題を解決するために、請求項１に記載の発明は、
並行してライン状に複数配置される第１の電極と、前記第１の電極とは立体交差して、並行してライン状に複数配置される第２の電極と、前記第１の電極と前記第２の電極とが立体交差する領域に配置される発色層と、を有するエレクトロクロミック表示デバイスと、
電位Ｖ４を出力する第１の出力回路と、電位Ｖ３（Ｖ３＞Ｖ４）を出力する第２の出力回路とを有し、前記第１の電極に接続される第１電圧切替部と、
電位Ｖ１（Ｖ１＞Ｖ３）又は電位Ｖ５（Ｖ５＜Ｖ３）を出力する第３の出力回路と、電位Ｖ２（Ｖ２＜Ｖ１）を出力する第４の出力回路とを有し、前記第２の電極に接続される第２電圧切替部と、
前記第１電圧切替部と前記第２電圧切替部を制御する制御部と、を備え、
前記制御部は、
前記第１の電極と前記第２の電極との間に通電する通電期間を、第１期間と第２期間に分割して、
前記第１電圧切替部の出力を前記電位Ｖ３から、前記通電期間前記電位Ｖ４に制御し、
前記第２電圧切替部の出力を前記電位Ｖ２から、前記第１期間は前記電位Ｖ１に、前記第２期間は前記電位Ｖ５に制御し、
前記第１期間の長さ及び前記第２期間の長さと、前記電位Ｖ１、前記電位Ｖ３及び前記電位Ｖ５とを、前記第１電極と前記第２電極との間に、前記第１期間で蓄積された電荷を前記第２期間で略除去する値となるように設定することを特徴とする。
【００１１】
請求項２に記載の発明は、
請求項１に記載の表示装置において、
前記第２の出力回路は、抵抗を介して前記第１の電極に接続されることを特徴とする。
請求項３に記載の発明は、
請求項１又は２に記載の表示装置において、
前記第４の出力回路は、抵抗を介して前記第２の電極に接続されることを特徴とする。
【００１２】
請求項４に記載の発明は、
請求項１から請求項３の何れか一項に記載の表示装置において、
前記第２期間の長さは、前記第１期間の長さと略同一に設定され、
前記電位Ｖ５と前記電位Ｖ３との差｜Ｖ５−Ｖ３｜は、前記電位Ｖ１と前記電位Ｖ３との差｜Ｖ１−Ｖ３｜よりも大きく設定されていることを特徴とする。
【００１３】
請求項５に記載の発明は、
請求項１から請求項４の何れか一項に記載の表示装置において、
前記電位Ｖ５は、Ｖ５≧Ｖ４となるよう設定されていることを特徴とする。
【００１４】
請求項６に記載の発明は、
請求項１から請求項５の何れか一項に記載の表示装置において、
前記電位Ｖ２は、Ｖ２＜０となるよう設定され、
前記電位Ｖ３は、Ｖ３＞０となるよう設定されていることを特徴とする。
【発明の効果】
【００１５】
本発明によれば、高品質な画像を高速かつ低消費電力で表示することができる。
【図面の簡単な説明】
【００１６】
【図１】本発明を適用した一実施形態の表示装置の機能的構成を示すブロック図である。
【図２】図１の表示装置が備えるエレクトロクロミック表示デバイスの一例を模式的に示す図であり、（ａ）は平面図、（ｂ）は断面図である。
【図３】図１の表示装置が備えるエレクトロクロミック表示デバイスの他の一例を模式的に示す断面図である。
【図４】図１の表示装置が備える第１電圧切替部の回路構成の一例を示す図である。
【図５】図１の表示装置が備える第２電圧切替部の回路構成の一例を示す図である。
【図６】選択画素及び非選択画素について説明するための図である。
【図７】選択画素を形成する表示電極及び選択画素を形成する対向電極の電位分布と、これら電極間の電位差の一例を示す図である。
【図８】選択画素を形成する表示電極及び非選択画素を形成する対向電極の電位分布と、これら電極間の電位差の一例を示す図である。
【図９】非選択画素を形成する表示電極及び選択画素を形成する対向電極の電位分布と、これら電極間の電位差の一例を示す図である。
【図１０】非選択画素を形成する表示電極及び非選択画素を形成する対向電極の電位分布と、これら電極間の電位差の一例を示す図である。
【図１１】（ａ）は実施例の結果を示す図、（ｂ）は比較例の結果を示す図である。
【図１２】実施例及び比較例の結果を示す図である。
【図１３】従来のエレクトロクロミック表示デバイスに対する電圧印加の仕方を説明するための図である。
【発明を実施するための形態】
【００１７】
以下、図を参照して、本発明の実施の形態を詳細に説明する。ただし、発明の範囲は、図示例に限定されない。
【００１８】
（表示装置）
表示装置１０００は、エレクトロクロミック表示デバイス１００を備え、外部から入力された画像データに従って所与の表示処理を行う装置である。
具体的には、表示装置１０００は、例えば、図１に示すように、エレクトロクロミック表示デバイス１００と、第１電圧切替部２００…と、対向電極選択部３００と、第２電圧切替部４００…と、表示電極選択部５００と、制御部６００と、を備えて構成される。
【００１９】
（エレクトロクロミック表示デバイス）
エレクトロクロミック表示デバイス１００は、例えば、図２（ａ）、（ｂ）に示すように、第１基板１０と、第１基板１０の上面に設けられた対向電極２０…と、第１基板１０の上方に第１基板１０に対向して設けられた第２基板３０と、第２基板３０の下面に設けられた表示電極４０…と、第１基板１０と第２基板３０との間に設けられたエレクトロクロミック組成物層５０とを備えて構成されるパッシブマトリクス駆動の表示素子である。
エレクトロクロミック表示デバイス１００は、対向電極２０…と表示電極４０…との間の通電によって表示を実施するとともに、対向電極２０…と表示電極４０…との間の当該表示のための通電とは逆方向の通電によって当該表示の消去を実施するように構成されている。
対向電極２０…は、例えば、互いに並行して延びる複数の電極である。表示電極４０…は、例えば、対向電極２０…と直交する方向に互いに並行して延びる複数の透明電極によりなる透明表示電極である。そして、対向電極２０…と表示電極４０…とが立体交差する領域に画素６０…が形成されている。
【００２０】
第１基板１０は、例えば、平面状に形成されており、エレクトロクロミック表示デバイス１００の基体としての機能を有する。
【００２１】
第１基板１０の材質は、電気的に絶縁性であれば、特に限定されるものではなく、例えば、ガラスやプラスチックを用いることができる。ガラスとしては、例えば、ソーダライム系ガラス、低アルカリ・ホウケイ酸ガラス、無アルカリ・ホウケイ酸ガラス、無アルカリ・アルミノケイ酸ガラス、石英ガラス等が挙げられる。また、プラスチックとしては、例えば、ポリエチレンテレフタレート、ポリエチレンナフタレート等のポリエステル類、ポリアミド類、ポリカーボネート類、ポリフッ化ビニリデン等のフッ素ポリマー類、ポリエーテル類、ポリスチレン、ポリエチレン等のポリオレフィン類、ポリイミド類等が挙げられる。
【００２２】
第１基板１０は、白色に見えるのが好ましい。したがって、第１基板１０の材質をガラスやプラスチックとした場合、例えば、二酸化チタン、硫酸バリウム、カオリン等の白色顔料を配合することによって、白色に見える第１基板１０を形成することができる。また、透明基板の下面に、前記白色顔料を塗布したり、白色紙や白色ＰＥＴシート等の白色シートを配置したりすることによって、白色に見える第１基板１０を形成することができる。
【００２３】
対向電極２０…は、例えば、幅を有するライン状に形成されており、互いに平行な等間隔の縞状に設けられている。
対向電極２０…は、エレクトロクロミック組成物層５０に接するように、且つ、表示電極４０…に対向してエレクトロクロミック組成物層５０を挟むように、第１基板１０の上面に設けられている。
対向電極２０…は、表示電極４０…と対になり、エレクトロクロミック組成物層５０に通電する機能を有する。
対向電極２０…は、表示電極４０…と立体交差、すなわち、間隔を有して交差し、その交点の領域に画素６０を形成している。
【００２４】
対向電極２０は、少なくとも表面が酸化されているもの、或いは、導電体であって、かつ、耐蝕性など電気化学的に安定なものであれば、透明電極であっても、不透明電極であってもよく、特に限定されるものではない。具体的には、対向電極２０としては、例えば、ＩＴＯ薄膜、ＳｎＯ２やＩｎＯ２等の酸化被膜をコーティングした薄膜、ＩＴＯ薄膜にＳｎやＳｂをドーピングしたもの、ＳｎＯ２やＩｎＯ２等の酸化被膜をコーティングした薄膜にＳｎやＳｂをドーピングしたもの、酸化亜鉛薄膜、酸化マグネシウム薄膜、酸化アルミニウム薄膜、酸化クロム薄膜、酸化ニッケル薄膜、酸化チタン薄膜、金薄膜、白金薄膜、カーボン薄膜等を挙げることができる。また、金薄膜など電気化学的に安定な導電体薄膜の上にＩＴＯ薄膜等を被覆するなど、表面酸化薄膜と前記耐蝕性導電体とを組み合わせ用いても良い。
【００２５】
第２基板３０は、例えば、平面状に形成された透明基板であり、表示電極４０…の支持体としての機能を有する。
【００２６】
第２基板３０の材質は、電気的に絶縁性の透明基板であれば、特に限定されるものではなく、例えば、ガラスやプラスチックを用いることができる。ガラスとしては、例えば、ソーダライム系ガラス、低アルカリ・ホウケイ酸ガラス、無アルカリ・ホウケイ酸ガラス、無アルカリ・アルミノケイ酸ガラス、石英ガラス等が挙げられる。また、プラスチックとしては、例えば、ポリエチレンテレフタレート、ポリエチレンナフタレート等のポリエステル類、ポリアミド類、ポリカーボネート類、ポリフッ化ビニリデン等のフッ素ポリマー類、ポリエーテル類、ポリスチレン、ポリエチレン等のポリオレフィン類、ポリイミド類等が挙げられる。
【００２７】
表示電極４０…は、例えば、幅を有するライン状に形成された透明電極であり、互いに平行な等間隔の縞状に設けられている。
表示電極４０…は、エレクトロクロミック組成物層５０に接するように、且つ、対向電極２０…に対向してエレクトロクロミック組成物層５０を挟むように、第２基板３０の下面に設けられている。
表示電極４０…は、対向電極２０…と対になり、エレクトロクロミック組成物層５０に通電する機能を有する。
表示電極４０…は、対向電極２０…と立体交差、すなわち、間隔を有して交差し、その交点の領域に画素６０を形成している。
【００２８】
表示電極４０は、少なくとも表面が酸化された透明電極であれば、特に限定されるものではない。具体的には、表示電極４０としては、例えば、ＩＴＯ薄膜、ＳｎＯ２やＩｎＯ２等の酸化被膜をコーティングした薄膜、ＩＴＯ薄膜にＳｎやＳｂをドーピングしたもの、ＳｎＯ２やＩｎＯ２等の酸化被膜をコーティングした薄膜にＳｎやＳｂをドーピングしたもの、酸化亜鉛薄膜、酸化マグネシウム薄膜等を挙げることができる。また、ＩＴＯや酸化亜鉛、酸化マグネシウム、酸化アルミニウム、酸化クロム、酸化ニッケル、酸化チタン等の酸化被膜をコーティングした薄膜等であっても良い。
【００２９】
エレクトロクロミック組成物層５０は、例えば、スペーサ５１と、スペーサ５１に保持されたエレクトロクロミック組成物５２と、等を備えて構成される。
エレクトロクロミック組成物層５０の厚みは、特に限定されるものではないが、好ましくは１０μｍ〜５００μｍ、より好ましくは３０μｍ〜２００μｍに設定することによって、エレクトロクロミック組成物５２の表示機能を効果的に発現させることができる。
【００３０】
スペーサ５１は、第１基板１０と第２基板３０との間に、一定の体積で、エレクトロクロミック組成物５２を保持する役割を有する。すなわち、スペーサ５１は、エレクトロクロミック組成物５２を含むことによって、エレクトロクロミック組成物５２を第１基板１０と第２基板３０との間で支えるとともに、スペーサ５１の厚みによって、エレクトロクロミック組成物５２の量を均一に制御する役割を有する。
【００３１】
スペーサ５１としては、上述した役割を果たすものであれば任意であり、例えば、多孔性の板状体やシート状体、粒状体（多孔性であっても非多孔性であっても良い）等が挙げられる。
【００３２】
スペーサ５１が多孔性の板状体やシート状体である場合、例えば、スペーサ５１の細孔内にエレクトロクロミック組成物５２を導入することによって、エレクトロクロミック組成物層５０を形成する。この場合、対向電極２０…（対向電極２０…が設置された第１基板１０）と表示電極４０…（表示電極４０…が設置された第２基板３０）とでスペーサ５１を挟んだ後に、当該スペーサ５１の細孔内にエレクトロクロミック組成物５２を導入してエレクトロクロミック組成物層５０を形成しても良いし、スペーサ５１の細孔内にエレクトロクロミック組成物５２を導入してエレクトロクロミック組成物層５０を形成した後に、当該エレクトロクロミック組成物層５０を、対向電極２０…と表示電極４０…とで挟んでも良い。
ここで、多孔性の板状体やシート状体としては、エレクトロクロミック表示デバイス１００の表示性能向上等の観点から、第１基板１０及び第２基板３０に対して略垂直方向に貫通する細孔を有するものが好ましく、具体的には、例えば、陽極酸化アルミナやメッシュ（ネット）状シート材等が挙げられるが、これらに限定されるものではない。
【００３３】
また、スペーサ５１が粒状体である場合、例えば、スペーサ５１とエレクトロクロミック組成物５２とを混ぜてペースト状にしたものを、対向電極２０…と表示電極４０…とで挟むことによって、エレクトロクロミック組成物層５０を形成する。
【００３４】
エレクトロクロミック組成物５２は、支持電解質と、極性溶剤と、ロイコ染料と、を含んでいる。
そして、エレクトロクロミック組成物５２には、エレクトロクロミック表示デバイス１００の表示品質の劣化を抑制するための表示品質劣化抑制剤（ハイドロキノン誘導体及び／又はカテコール誘導体、フェロセン誘導体並びにカルボニル基を有する化合物）と、対向電極２０…と表示電極４０…との間の消去のための通電時にロイコ染料を吸着する吸着剤５３と、が添加されている。
また、エレクトロクロミック組成物５２に添加可能な成分としては、例えば、エレクトロクロミック組成物５２の物性（例えば、増粘等）を調整するためのポリマー化合物等が挙げられる。
【００３５】
エレクトロクロミック組成物５２は、エレクトロクロミック表示デバイス１００の表示にかかる発色及び消色の機能を有する。
具体的には、エレクトロクロミック組成物５２は、対向電極２０…と表示電極４０…との間の通電によって発色し、発色のための通電とは逆方向の通電によって、或いは、発色のための通電を遮断することによって消色する。
エレクトロクロミック組成物５２は、流動性があれば良く、例えば、低粘度の液体状であっても良いし、高粘度のペースト状であっても良いし、流動性の小さいゲル状であっても良い。
【００３６】
エレクトロクロミック組成物５２の構成成分である支持電解質は、エレクトロクロミック組成物５２内を電流が流れ易くするための機能を有する。支持電解質は、一般に溶融塩或いはイオン液体と称する化合物を含む。支持電解質は、各化合物を単独で用いても良いし、複数を混合して用いても良い。
支持電解質は、エレクトロクロミック組成物５２全体の重量に対して、０．０１〜２０重量％となるように添加することが好ましく、前記機能の十分な発現のためには、０．１〜２０重量％となるように添加することがより好ましい。
【００３７】
具体的には、支持電解質は、前記機能を有する化合物であれば、特に限定されるものではなく、例えば、下記の一般式（１）で表される化合物と、下記の一般式（２）で表される化合物と、下記の一般式（３）で表される化合物と、のうちの少なくとも何れか１つが挙げられる。
【化１】
0005891755.tif 000002
（式中Ｍ１は、Ｌｉ、Ｎａ、Ｋ、Ｒｂ、Ｃｓ又はＮＨ４を表す。式中Ｘ１は、ＣｌＯ４、ＢＦ４、ＣＦ３ＳＯ３又はＰＦ６を表す。）
【化２】
0005891755.tif 000003
（式中Ｒ１は、アルキル基又はアリール基を表す。式中Ｒ２は、アルキル基を表す。式中Ｎは、窒素原子を表す。式中Ｘ２は、Ｃｌ、Ｂｒ、Ｉ、ＣｌＯ４、ＢＦ４、ＣＦ３ＳＯ３又はＰＦ６を表す。式中ｎは、０、１又は２を表し、式中ｍは、４−ｎを表す。）
【化３】
0005891755.tif 000004
（式中Ｒ３は、炭素数１から１６の直鎖又は分岐したアルキル基、ハロゲン原子を表す。式中Ｒ４、Ｒ５、Ｒ６は、水素原子、ハロゲン原子、アルキル基、アリール基、アルキルカルボニル基、アルコキシ基、カルボニルアルコキシ基又はジアルキルアミノ基を表す。式中Ｘは、ハロゲン原子、ＢＦ４基、ＰＦ６基、ＣＨ３ＳＯ３基、ＣＦ３ＳＯ３基、ｐ−トルエンスルホン酸基を表す。ただし、式中Ｒ３とＸとが同時にハロゲン原子であることは無い。）
【００３８】
一般式が、上記一般式（１）で表される化合物としては、例えば、ＮａＣｌＯ４、ＬｉＣｌＯ４、ＫＣｌＯ４、ＲｂＣｌＯ４、ＣｓＣｌＯ４、ＮＨ４ＣｌＯ４、ＬｉＢＦ４、ＬｉＰＦ６等が挙げられるが、これらに限定されるものではない。なお、一般式が上記の式（１）で表される化合物は、各種を単独で用いても良いし、適宜２種類以上を組み合わせて用いても良い。
【００３９】
また、一般式が、上記一般式（２）で表される化合物としては、例えば、（ＣＨ３）４ＮＣｌＯ４、（Ｃ２Ｈ５）４ＮＣｌＯ４、（ｎ−Ｃ４Ｈ９）４ＮＣｌＯ４、（ＣＨ３）４ＮＢＦ４、（Ｃ２Ｈ５）４ＮＢＦ４、（ｎ−Ｃ４Ｈ９）４ＮＢＦ４、（ＣＨ３）４ＮＣｌ、（Ｃ２Ｈ５）４ＮＣｌ、（ＣＨ３）４ＮＢｒ、（Ｃ２Ｈ５）４ＮＢｒ、（ｎ−Ｃ４Ｈ９）４ＮＢｒ、（ｎ−Ｃ４Ｈ９）４ＮＩ、Ｃ６Ｈ５（ＣＨ３）３ＮＣｌＯ４、Ｃ６Ｈ５（Ｃ２Ｈ５）３ＮＣｌＯ４、Ｃ８Ｈ１７（ＣＨ３）３ＮＣｌＯ４、（Ｃ２Ｈ５）４ＮＰＦ６、（ｎ−Ｃ４Ｈ９）４ＮＰＦ６、（ＣＨ３）４ＮＣＦ３ＳＯ３、（Ｃ２Ｈ５）４ＮＣＦ３ＳＯ３等が挙げられるが、これらに限定されるものではない。なお、一般式が上記の式（２）で表される化合物は、各種を単独で用いても良いし、適宜２種類以上を組み合わせて用いても良い。
【００４０】
また、一般式が、上記一般式（３）で表される化合物としては、下記の式（４）〜式（２９）等が挙げられるが、これらに限定されるものではない。なお、一般式が上記の式（３）で表される化合物は、各種を単独で用いても良いし、適宜２種類以上を組み合わせて用いても良い。
【化４−１】
0005891755.tif 000005
【化４−２】
0005891755.tif 000006
【化４−３】
0005891755.tif 000007
【化４−４】
0005891755.tif 000008
【００４１】
エレクトロクロミック組成物５２の構成成分である極性溶剤は、支持電解質を用い通電性を示す有機溶媒の少なくとも１種であり、ロイコ染料の消色を電圧及び／又は電流の遮断により促進する機能を有する。また、極性溶剤は、エレクトロクロミック組成物５２にポリマー化合物を添加する場合に、そのポリマー化合物の溶剤としての機能も果たす。極性溶剤は、各種を単独で用いても良いし、適宜２種類以上を組み合わせて用いても良い。
【００４２】
以下に、好適な極性溶剤の例を示すが、これらは例示であり、極性溶剤を限定するものではない。
極性溶剤の具体例としては、例えば、Ｎ−メチルピロリドン、ジメチルホルムアミド、ジエチルホルムアミド、Ｎ，Ｎ−ジメチルアセトアミド、プロピレンカーボネート、ジメチルスルフォキシド、γ-ブチロラクトン、アセトニトリル、プロピオニトリル、ブチロニトリル等が挙げられる。例示した極性溶剤は、何れもエレクトロクロミック組成物５２の構成成分として用いる極性溶剤として好ましいものであるが、特に好ましいものとしてはＮ，Ｎ−ジメチルアセトアミド、プロピレンカーボネート、ジメチルスルフォキシドが挙げられる。
【００４３】
エレクトロクロミック組成物５２の構成成分であるロイコ染料は、無色又は淡色の電子供与性染料前駆体であり、フェノール性化合物等の顕色剤、酸性物質、電子受容性物質によって発色する化合物である。
ロイコ染料としては、例えば、部分骨格にラクトン、ラクタム、スルトン、スピロピラン、エステル又はアミド構造を有する実用上無色となりうる化合物等が挙げられる。具体的には、例えば、トリアリルメタン化合物、ビスフェニルメタン化合物、キサンテン化合物、フルオラン化合物、チアジン化合物、スピロピラン化合物等が挙げられるが、これらに限定されるものではない。
【００４４】
ロイコ染料は、前記化合物の中から適宜選択することによって、各種カラーの発色を行うことができる。したがって、ロイコ染料を用いたエレクトロクロミック表示デバイス１００の表示色は、ロイコ染料によって適宜選択することができる。具体的には、例えば、ブラックに発色するロイコ染料を用いる場合は、白黒及びグレー表示が可能となる。
【００４５】
ロイコ染料の配合量は、ロイコ染料の溶解度に依存するため、一概に表すことは難しいが、ロイコ染料は、発色のために充分な量が配合されている必要がある。溶解度が小さいロイコ染料の場合は、必要な量が含まれるように、例えば、各画素６０に対応するエレクトロクロミック組成物層５０の体積（スペーサ５１の厚み）を大きくする等して、ロイコ染料の配合量を調節すると良い。
【００４６】
エレクトロクロミック組成物５２に添加される表示品質劣化抑制剤は、ロイコ染料の発色、消色の繰り返し動作に伴うエレクトロクロミック表示デバイス１００の表示品質の劣化を抑制する機能を有する化合物である。
表示品質劣化抑制剤の添加量は、ロイコ染料の含有量に対して、１〜２０重量％となるように添加することが好ましく、前記機能の十分な発現のためには、５〜２０重量％となるように添加することが好ましい。
【００４７】
表示品質劣化抑制剤は、第１の表示品質劣化抑制化合物（ハイドロキノン誘導体及び／又はカテコール誘導体）と、第２の表示品質劣化抑制化合物（フェロセン誘導体）と、第３の表示品質劣化抑制化合物（カルボニル基を有する化合物（アセトフェノン誘導体及び／又はジベンゾイル誘導体））と、の混合物である。
【００４８】
エレクトロクロミック組成物５２に添加される吸着剤５３は、例えば、酸化アルミニウム及び／又は水酸化アルミニウムである。
吸着剤５３（酸化アルミニウム及び／又は水酸化アルミニウム）の添加の態様は、特に限定されるものではないが、エレクトロクロミック組成物５２中に粉末で添加し、超音波やボールミル、ホモミキサー等のホモジナイザーを用いて均一に分散し、エレクトロクロミック組成物５２溶液の分散液として用いることが好ましい。また、当該分散液を対向電極２０…上に塗布し、例えば、図３に示すように、吸着剤５３の層（吸着層）として用いることもできる。
【００４９】
吸着剤５３の添加量は、用いる酸化アルミニウム及び／又は水酸化アルミニウムの活性度、粒径等により異なる。
αアルミナのように表面積の小さい酸化アルミニウム、１０μｍ以上の粒径を有する大きな酸化アルミニウム、表面積の小さい水酸化アルミニウム、１０μｍ以上の粒径を有する水酸化アルミニウムは、ロイコ染料の吸着効果が小さく、十分な吸着動作を発現するためには、１グラムのロイコ染料に対して、０．５グラム〜５グラム、好ましくは１グラム〜３グラムの添加が好ましい。
また、γアルミナのように表面積の大きい酸化アルミニウム、１μｍ以下の粒径を有する小さい酸化アルミニウム、表面積の大きい水酸化アルミニウム、１μｍ以下の粒径を有する小さい酸化アルミニウムは、ロイコ染料の吸着効果が大きいため、１グラムのロイコ染料に対して、０．１グラム〜０．５グラムの添加で、十分な吸着動作を発現する。
また、薄層クロマトグラフィ等に用いられる活性アルミナの類は、数１０μｍの粒径を有する大粒子であっても、１グラムのロイコ染料に対して、０．１グラム〜０．５グラムの添加で、十分な吸着動作を発現する。
【００５０】
ロイコ染料を吸着する吸着剤５３は、化成品にて容易に入手できる。
以下に、好適な市販の吸着剤５３の例を示すが、これらは例示であり、吸着剤５３を限定するものではない。
市販の吸着剤５３の具体例としては、例えば、メルク社製薄層クロマト用酸化アルミニウム６０ＧＮｅｕｔｒａｌ（粒径４μｍ〜５０μｍ）、日本軽金属製ローソーダアルミナＬＳ２３５（粒径０．４７μｍ），活性アルミナＣ２００（粒径４．４μｍ），水酸化アルミニウムＢ１４０３（粒径１．５μｍ）、住友化学製γアルミナＫＣ５０１（粒径１μｍ）、川研ファインケミカル株式会社製アルミナゾル−Ａ２等が挙げられる。
【００５１】
エレクトロクロミック組成物５２に添加されるポリマー化合物は、エレクトロクロミック組成物５２の粘度を高め、その取り扱いを容易にする機能を有する。ポリマー化合物は各種を単独で用いても良いし、適宜２種類以上を組み合わせて用いても良い。
ポリマー化合物は、エレクトロクロミック組成物５２の粘度を高めるために用いるが、この場合のエレクトロクロミック組成物５２の性状は、低粘度の液体状、高粘度のペースト状、流動性の小さいゲル状、とすることができる。
ポリマー化合物の好ましい配合量は、エレクトロクロミック組成物５２全体の重量に対して、０．１〜８０重量％とすることが好ましい。
【００５２】
以下に、好適なポリマー化合物の例を示すが、これらは例示であり、ポリマー化合物を限定するものではない。
ポリマー化合物の具体例としては、例えば、ポリフッ化ビニリデン、ポリ塩化ビニリデン、ポリエチレンオキサイド等のポリアルキレンオキサイド、又は、ポリアルキレンイミン、ポリアルキレンスルフィドの繰返し単位を有する高分子、ポリメチルメタクリレート、ポリアクリロニトリル、ポリカーボネート、ポリビニルブチラールのごときポリビニルホルマール等が挙げられる。特に好ましいものとしては、ポリビニルブチラール、ポリフッ化ビニリデンが挙げられる。
【００５３】
以上に説明したエレクトロクロミック組成物５２は、一例であり、その他にも電気化学的な発色が可能な組成物であれば、これをスペーサ５１により保持したものをエレクトロクロミック組成物層５０として用いることが可能である。
【００５４】
（第１電圧切替部）
表示装置１０００は、例えば、図１に示すように、複数（例えば、エレクトロクロミック表示デバイス１００が備える対向電極２０の本数と同数）の第１電圧切替部２００を備えている。
第１電圧切替部２００は、例えば、当該第１電圧切替部２００と接続する対向電極２０に印加する電圧を切り替える。
具体的には、第１電圧切替部２００は、例えば、図４に示すように、選択画素を形成する対向電極２０に接続され、電位Ｖ４を出力する選択対向用電位出力手段としての選択対向用電位出力回路２１０と、非選択画素を形成する対向電極２０に接続され、電位Ｖ３（Ｖ３＞Ｖ４）を出力する非選択対向用電位出力手段としての非選択対向用電位出力回路２２０と、対向電極２０に接続させる電位出力回路を選択対向用電位出力回路２１０と非選択対向用電位出力回路２２０との間で切り替える回路切替スイッチ２３０と、を備えて構成される。
【００５５】
選択対向用電位出力回路２１０は、正電圧を出力する第１正電圧電源２０１と、スイッチとして機能する第１Ｐチャンネルトランジスタ２０２と、負電圧を出力する第１負電圧電源２０３と、スイッチとして機能する第１Ｎチャンネルトランジスタ２０４と、を備えて構成される。
【００５６】
第１正電圧電源２０１は、例えば、対向電極選択部３００によりＯＮ／ＯＦＦされるように構成されている。第１正電圧電源２０１がＯＮされると、第１Ｐチャンネルトランジスタ２０２の一端（ソース）に正電圧が印加される。
第１Ｐチャンネルトランジスタ２０２は、例えば、ゲートがゲート端子２００ａに接続され、一端（ソース）が第１正電圧電源２０１に接続され、他端（ドレイン）がエレクトロクロミック表示デバイス１００の対向電極２０と回路切替スイッチ２３０を介して接続する出力端子２００ｂに接続されている。
【００５７】
第１負電圧電源２０３は、例えば、対向電極選択部３００によりＯＮ／ＯＦＦされるように構成されている。第１負電圧電源２０３がＯＮされると、第１Ｎチャンネルトランジスタ２０４の一端（ソース）の負電圧が印加される。
第１Ｎチャンネルトランジスタ２０４は、例えば、ゲートがゲート端子２００ａに接続され、一端（ソース）が第１負電圧電源２０３に接続され、他端（ドレイン）がエレクトロクロミック表示デバイス１００の対向電極２０と回路切替スイッチ２３０を介して接続する出力端子２００ｂに接続されている。
【００５８】
非選択対向用電位出力回路２２０は、正電圧を出力する第１正電圧電源２０１と、スイッチとして機能する第１Ｐチャンネルトランジスタ２０２と、負電圧を出力する第１負電圧電源２０３と、スイッチとして機能する第１Ｎチャンネルトランジスタ２０４と、を備えて構成され、抵抗２２０ａを介して回路切替スイッチ２３０に接続されている。
すなわち、非選択対向用電位出力回路２２０は、回路切替スイッチ２３０に直接接続されるのではなく、抵抗２２０ａを介して接続されている点のみが、選択対向用電位出力回路２１０と異なる。
【００５９】
回路切替スイッチ２３０は、例えば、対向電極選択部３００により切り替えられるように構成されている。
具体的には、回路切替スイッチ２３０は、当該回路切替スイッチ２３０と接続する対向電極２０が選択画素を形成する対向電極２０であれば、選択対向用電位出力回路２１０側へと切り替えられ、当該回路切替スイッチ２３０と接続する対向電極２０が非選択画素を形成する対向電極２０であれば、非選択対向用電位出力回路２２０側へと切り替えられる。
【００６０】
（対向電極選択部）
対向電極選択部３００は、例えば、制御部６００からの制御信号に従って、第１電圧切替部２００を制御することにより、対向電極２０（ライン電極）に正電圧や負電圧を印加する。
【００６１】
具体的には、対向電極選択部３００は、例えば、非選択対向用電位出力回路２２０において、所定の正電圧を第１電圧切替部２００のゲート端子２００ａに印加するとともに、第１正電圧電源２０１をＯＮする。これにより、第１Ｐチャンネルトランジスタ２０２のゲートに当該所定の正電圧が印加されるとともに、第１Ｐチャンネルトランジスタ２０２の一端（ソース）に第１正電圧電源２０１からの正電圧が印加されるため、第１Ｐチャンネルトランジスタ２０２がＯＮされて、非選択対向用電位出力回路２２０の出力端子２００ｂから所定のプラス電位（本実施形態の場合、電位Ｖ３）が出力される。
【００６２】
一方、対向電極選択部３００は、例えば、選択対向用電位出力回路２１０において、所定の負電圧を第１電圧切替部２００のゲート端子２００ａに印加するとともに、第１負電圧電源２０３をＯＮする。これにより、第１Ｎチャンネルトランジスタ２０４のゲートに当該所定の負電圧が印加されるとともに、第１Ｎチャンネルトランジスタ２０４の一端（ソース）に第１負電圧電源２０３からの負電圧が印加されるため、第１Ｎチャンネルトランジスタ２０４がＯＮされて、選択対向用電位出力回路２１０の出力端子２００ｂから所定のマイナス電位（本実施形態の場合、電位Ｖ４）が出力される。
【００６３】
さらに、対向電極選択部３００は、例えば、選択画素を形成する対向電極２０と接続する回路切替スイッチ２３０を、選択対向用電位出力回路２１０側へと切り替えるとともに、非選択画素を形成する対向電極２０と接続する回路切替スイッチ２３０を、非選択対向用電位出力回路２２０側へと切り替える。
これにより、選択対向用電位出力回路２１０は、選択画素を形成する対向電極２０に接続され、非選択対向用電位出力回路２２０は、抵抗２２０ａを介して非選択画素を形成する対向電極２０に接続される。
【００６４】
（第２電圧切替部）
表示装置１０００は、例えば、図１に示すように、複数（例えば、エレクトロクロミック表示デバイス１００が備える表示電極４０の本数と同数）の第２電圧切替部４００を備えている。
第２電圧切替部４００は、例えば、当該第２電圧切替部４００と接続する表示電極４０に印加する電圧を切り替える。
具体的には、第２電圧切替部４００は、例えば、図５に示すように、選択画素を形成する表示電極４０に接続され、所定の電位（電位Ｖ１又は電位Ｖ５）を出力する選択表示用電位出力手段としての選択表示用電位出力回路４１０と、非選択画素を形成する表示電極４０に接続され、電位Ｖ２を出力する非選択表示用電位出力手段としての非選択表示用電位出力回路４２０と、表示電極４０に接続させる電位出力回路を選択表示用電位出力回路４１０と非選択表示用電位出力回路４２０との間で切り替える回路切替スイッチ４３０と、を備えて構成される。
【００６５】
選択表示用電位出力回路４１０は、正電圧を出力する第２正電圧電源４０１と、スイッチとして機能する第２Ｐチャンネルトランジスタ４０２と、負電圧を出力する第２負電圧電源４０３と、スイッチとして機能する第２Ｎチャンネルトランジスタ４０４と、を備えて構成される。
【００６６】
第２正電圧電源４０１は、例えば、表示電極選択部５００によりＯＮ／ＯＦＦされるように構成されている。第２正電圧電源４０１がＯＮされると、第２Ｐチャンネルトランジスタ４０２の一端（ソース）に正電圧が印加される。
第２Ｐチャンネルトランジスタ４０２は、例えば、ゲートがゲート端子４００ａに接続され、一端（ソース）が第２正電圧電源４０１に接続され、他端（ドレイン）がエレクトロクロミック表示デバイス１００の表示電極４０と回路切替スイッチ４３０を介して接続する出力端子４００ｂに接続されている。
【００６７】
第２負電圧電源４０３は、例えば、表示電極選択部５００によりＯＮ／ＯＦＦされるように構成されている。第２負電圧電源４０３がＯＮされると、第２Ｎチャンネルトランジスタ４０４の一端（ソース）の負電圧が印加される。
第２Ｎチャンネルトランジスタ４０４は、例えば、ゲートがゲート端子４００ａに接続され、一端（ソース）が第２負電圧電源４０３に接続され、他端（ドレイン）がエレクトロクロミック表示デバイス１００の表示電極４０と回路切替スイッチ４３０を介して接続する出力端子４００ｂに接続されている。
【００６８】
非選択表示用電位出力回路４２０は、正電圧を出力する第２正電圧電源４０１と、スイッチとして機能する第２Ｐチャンネルトランジスタ４０２と、負電圧を出力する第２負電圧電源４０３と、スイッチとして機能する第２Ｎチャンネルトランジスタ４０４と、を備えて構成され、抵抗４２０ａを介して回路切替スイッチ４３０に接続されている。
すなわち、非選択表示用電位出力回路４２０は、回路切替スイッチ４３０に直接接続されるのではなく、抵抗４２０ａを介して接続されている点のみが、選択表示用電位出力回路４１０と異なる。
【００６９】
回路切替スイッチ４３０は、例えば、表示電極選択部５００により切り替えられるように構成されている。
具体的には、回路切替スイッチ４３０は、当該回路切替スイッチ４３０と接続する表示電極４０が選択画素を形成する表示電極４０であれば、選択表示用電位出力回路４１０側へと切り替えられ、当該回路切替スイッチ４３０と接続する表示電極４０が非選択画素を形成する表示電極４０であれば、非選択表示用電位出力回路４２０側へと切り替えられる。
【００７０】
（表示電極選択部）
表示電極選択部５００は、例えば、制御部６００からの制御信号に従って、第２電圧切替部４００を制御することにより、表示電極４０（データ電極）に正電圧や負電圧を印加する。
【００７１】
具体的には、表示電極選択部５００は、例えば、選択表示用電位出力回路４１０において、所定の正電圧を第２電圧切替部４００のゲート端子４００ａに印加するとともに、第２正電圧電源４０１をＯＮする。これにより、第２Ｐチャンネルトランジスタ４０２のゲートに当該所定の正電圧が印加されるとともに、第２Ｐチャンネルトランジスタ４０２の一端（ソース）に第２正電圧電源４０１からの正電圧が印加されるため、第２Ｐチャンネルトランジスタ４０２がＯＮされて、選択表示用電位出力回路４１０の出力端子４００ｂから所定のプラス電位（本実施形態の場合、電位Ｖ１）が出力される。
また、表示電極選択部５００は、例えば、選択表示用電位出力回路４１０において、所定の負電圧を第２電圧切替部４００のゲート端子４００ａに印加するとともに、第２負電圧電源４０３をＯＮする。これにより、第２Ｎチャンネルトランジスタ４０４のゲートに当該所定の負電圧が印加されるとともに、第２Ｎチャンネルトランジスタ４０４の一端（ソース）に第２負電圧電源４０３からの負電圧が印加されるため、第２Ｎチャンネルトランジスタ４０４がＯＮされて、選択表示用電位出力回路４１０の出力端子４００ｂから所定のマイナス電位（本実施形態の場合、電位Ｖ５）が出力される。
【００７２】
一方、表示電極選択部５００は、例えば、非選択表示用電位出力回路４２０において、所定の負電圧を第２電圧切替部４００のゲート端子４００ａに印加するとともに、第２負電圧電源４０３をＯＮする。これにより、第２Ｎチャンネルトランジスタ４０４のゲートに当該所定の負電圧が印加されるとともに、第２Ｎチャンネルトランジスタ４０４の一端（ソース）に第２負電圧電源４０３からの負電圧が印加されるため、第２Ｎチャンネルトランジスタ４０４がＯＮされて、非選択表示用電位出力回路４２０の出力端子４００ｂから所定のマイナス電位（本実施形態の場合、電位Ｖ２）が出力される。
【００７３】
さらに、表示電極選択部５００は、例えば、選択画素を形成する表示電極４０と接続する回路切替スイッチ４３０を、選択表示用電位出力回路４１０側へと切り替えるとともに、非選択画素を形成する表示電極４０と接続する回路切替スイッチ４３０を、非選択表示用電位出力回路４２０側へと切り替える。
これにより、選択表示用電位出力回路４１０は、選択画素を形成する表示電極４０に接続され、非選択表示用電位出力回路４２０は、抵抗４２０ａを介して非選択画素を形成する表示電極４０に接続される。
【００７４】
（制御部）
制御部６００は、例えば、ＣＰＵ（Central Processing Unit）、ＲＯＭ（Read Only Memory）、ＲＡＭ（Random Access Memory）等を備えて構成され、表示装置１０００を構成する各部の動作を集中制御する。
制御部６００は、エレクトロクロミック表示デバイス１００に所定の画像を表示させる表示制御手段として機能する。
【００７５】
（表示動作）
制御部６００は、例えば、外部から入力される画像データに基づいて、対向電極選択部３００及び表示電極選択部５００を制御して、第１電圧切替部２００及び第２電圧切替部４００を介して、パッシブマトリクス駆動によりエレクトロクロミック表示デバイス１００に当該画像データに基づく画像を表示させる。
本実施形態の制御部６００による、エレクトロクロミック表示デバイス１００に対する電圧印加の仕方について、図７を参照して説明する。なお、ここでは、便宜上、回路切替スイッチ４３０が抵抗４２０ａを介さずに非選択表示用電位出力回路４２０に直接接続され、回路切替スイッチ２３０が抵抗２２０ａを介さずに非選択対向用電位出力回路２２０に直接接続されている場合を例に説明する。
【００７６】
制御部６００は、まず、各回路切替スイッチ４３０を非選択表示用電位出力回路４２０側へと切り替えて各表示電極４０を非選択表示用電位出力回路４２０に接続させるとともに、各回路切替スイッチ２３０を非選択対向用電位出力回路２２０側へと切り替えて各対向電極２０を非選択対向用電位出力回路２２０に接続させる。これにより、各表示電極４０の電位が電位Ｖ２になるとともに、各対向電極２０の電位が電位Ｖ３になる。なお、実際には、表示電極４０は抵抗４２０ａを介して非選択表示用電位出力回路４２０と接続しているので、各表示電極４０の電位は電位Ｖ２ではなく対向電極電位と抵抗４２０ａによる分圧電位となり、対向電極２０は抵抗２２０ａを介して非選択対向用電位出力回路２２０と接続しているので、各対向電極２０の電位は電位Ｖ３ではなく表示電極電位と抵抗２２０ａによる分圧電位となる。
【００７７】
次いで、制御部６００は、表示を実施する際、発色させる画素６０を選択し、選択した画素６０、すなわち選択画素６０ａを形成する対向電極２０と当該選択画素６０ａを形成する表示電極４０との間に電圧を印加して、表示のための通電（画素６０を発色させるための通電）を行う。具体的には、制御部６００は、選択画素６０ａを形成する表示電極４０と接続する回路切替スイッチ４３０を選択表示用電位出力回路４１０側へと切り替えて当該表示電極４０を選択表示用電位出力回路４１０に接続させるとともに、選択画素６０ａを形成する対向電極２０と接続する回路切替スイッチ２３０を選択対向用電位出力回路２１０側へと切り替えて当該対向電極２０を選択対向用電位出力回路２１０に接続させる。
この際、制御部６００は、例えば、図７に示すように、当該表示のための通電を行う期間を２つの期間に分割し、そして、最初の第１期間Ｐ１では、選択表示用電位出力回路４１０から電位Ｖ１（Ｖ１＞Ｖ２、Ｖ１＞Ｖ３）が出力されるよう制御するとともに、次の第２期間Ｐ２では、選択表示用電位出力回路４１０から電位Ｖ５（Ｖ５＜Ｖ３）が出力されるよう制御する。これにより、最初の第１期間Ｐ１では、選択画素６０ａを形成する表示電極４０の電位が電位Ｖ１になるとともに、当該選択画素６０ａを形成する対向電極２０の電位が電位Ｖ４になり、次の第２期間Ｐ２では、当該表示電極４０の電位が電位Ｖ５になるとともに、当該対向電極２０の電位が電位Ｖ４のまま維持される。
【００７８】
エレクトロクロミック表示デバイス１００に画像を表示させる表示動作の一例について、より具体的に説明する。
まず、制御部６００は、対向電極選択部３００を制御して、１行目の対向電極２０（例えば、図２における一番上の対向電極２０）を選択し、最初の第１期間Ｐ１では、当該選択した対向電極２０に供給する電位を電位Ｖ３（実際には、表示電極電位と抵抗２２０ａによる分圧電位）から電位Ｖ４に切り替え、次の第２期間Ｐ２では、第１期間Ｐ１での状態を維持する。そして、第２期間Ｐ２が終了すると、当該選択した対向電極２０に供給する電位を電位Ｖ４から電位Ｖ３（実際には、表示電極電位と抵抗２２０ａによる分圧電位）に切り替えて、２行目の対向電極２０を選択する。なお、制御部６００は、同時に複数の対向電極２０を選択しないように構成されている。
【００７９】
また、制御部６００は、表示電極選択部５００を制御して、例えば、１行目の対向電極２０を選択するタイミングと略同じタイミングで、１行目の発色すべき画素６０を形成する表示電極４０を選択し、最初の第１期間Ｐ１では、当該選択した表示電極４０に供給する電位を電位Ｖ２（実際には、対向電極電位と抵抗４２０ａによる分圧電位）から電位Ｖ１に切り替え、次の第２期間Ｐ２では、当該選択した表示電極４０に供給する電位を電位Ｖ１から電位Ｖ５に切り替える。そして、第２期間Ｐ２が終了すると、当該選択した表示電極４０に供給する電位を電位Ｖ５から電位Ｖ２（実際には、対向電極電位と抵抗４２０ａによる分圧電位）に切り替えて、２行目の対向電極２０を選択するタイミングと略同じタイミングで、２行目の発色すべき画素６０を形成する表示電極４０を選択する。
【００８０】
そして、制御部６００は、２行目の対向電極２０、３行目の対向電極２０、４行目の対向電極２０、５行目の対向電極２０…について上記と同様の処理を行うことにより、１フレーム（１ページ）分の画像をエレクトロクロミック表示デバイス１００に表示させる。
なお、エレクトロクロミック表示デバイス１００に一の画像を繰り返し表示すると、その繰り返し回数の増加に伴って、エレクトロクロミック表示デバイス１００に表示される当該一の画像の発色濃度が高くなっていく。そのため、制御部６００は、１フレーム分の画像を表示する処理を所定回数繰り返し実行することによって、ユーザ所望の発色濃度の画像をエレクトロクロミック表示デバイス１００に表示させる。
【００８１】
ここで、本実施形態のエレクトロクロミック表示デバイス１００が特徴とする、各数値（表示電極４０に供給される電位（電位Ｖ１、Ｖ２、Ｖ５）、対向電極２０に供給される電位（電位Ｖ３、Ｖ４）、第１期間Ｐ１や第２期間Ｐ２の長さ）の規定と、抵抗２２０ａ，４２０ａの追加と、について説明する。
まず、各数値（表示電極４０に供給される電位（電位Ｖ１、Ｖ２、Ｖ５）、対向電極２０に供給される電位（電位Ｖ３、Ｖ４）、第１期間Ｐ１や第２期間Ｐ２の長さ）の規定について、回路切替スイッチ４３０が非選択表示用電位出力回路４２０に直接接続され、回路切替スイッチ２３０が非選択対向用電位出力回路２２０に直接接続されている場合を例に説明する。
【００８２】
例えば、図６（ａ）に示す選択画素６０ａ（図６（ｂ）の画素［１］）を発色させる場合、当該選択画素６０ａを形成する表示電極４０の電位は、図７の上段に示すように、最初の第１期間Ｐ１では電位Ｖ１になり、次の第２期間Ｐ２では電位Ｖ５になる。また、当該選択画素６０ａを形成する対向電極２０の電位は、図７の中段に示すように、第１期間Ｐ１と第２期間Ｐ２とに亘って電位Ｖ４になる。したがって、当該選択画素６０ａを形成する表示電極４０と当該選択画素６０ａを形成する対向電極２０との間には、図７の下段に示すように、最初の第１期間Ｐ１で電位差「Ｖ１−Ｖ４」（＞０）の電圧が印加され、次の第２期間Ｐ２で電位差「Ｖ５−Ｖ４」の電圧が印加される。
選択画素６０ａに電位差「Ｖ１−Ｖ４」の電圧が印加されると、当該選択画素６０ａでは、エレクトロクロミック組成物５２を介して表示電極４０から対向電極２０へと電流が流れ、エレクトロクロミック組成物層５０と表示電極４０との界面（表示電極４０の表面）にてエレクトロクロミック組成物５２が電気化学的な変化を起こす。これにより、当該選択画素６０ａが発色する。
【００８３】
また、図６（ａ）に示す選択画素６０ａ（画素［１］）を発色させる場合、非選択画素６０ｂのうち、非選択画素６０ｂを形成する表示電極４０と選択画素６０ａを形成する対向電極２０とにより形成される非選択画素６０ｂ２（図６（ｂ）の画素［３］）において、当該非選択画素６０ｂ２を形成する表示電極４０の電位は、図９の上段に示すように、第１期間Ｐ１と第２期間Ｐ２とに亘って電位Ｖ２になる。また、当該非選択画素６０ｂ２を形成する対向電極２０は選択画素６０ａを形成する対向電極２０であるため、当該非選択画素６０ｂ２を形成する対向電極２０の電位は、図９の中段に示すように、第１期間Ｐ１と第２期間Ｐ２とに亘って電位Ｖ４になる。したがって、当該非選択画素６０ｂ２を形成する表示電極４０と当該非選択画素６０ｂ２を形成する対向電極２０との間には、図９の下段に示すように、第１期間Ｐ１と第２期間Ｐ２とに亘って電位差「Ｖ２−Ｖ４」の電圧が印加される。
【００８４】
また、図６（ａ）に示す選択画素６０ａ（画素［１］）を発色させる場合、非選択画素６０ｂのうち、非選択画素６０ｂを形成する表示電極４０と非選択画素６０ｂを形成する対向電極２０とにより形成される非選択画素６０ｂ（図６（ｂ）の画素［４］）において、当該非選択画素６０ｂを形成する表示電極４０の電位は、図１０の上段に示すように、第１期間Ｐ１と第２期間Ｐ２とに亘って電位Ｖ２になる。また、当該非選択画素６０ｂを形成する対向電極２０の電位は、図１０の中段に示すように、第１期間Ｐ１と第２期間Ｐ２とに亘って電位Ｖ３になる。したがって、当該非選択画素６０ｂを形成する表示電極４０と当該非選択画素６０ｂを形成する対向電極２０との間には、図１０の下段に示すように、第１期間Ｐ１と第２期間Ｐ２とに亘って電位差「Ｖ２−Ｖ３」の電圧が印加される。
【００８５】
また、図６（ａ）に示す選択画素６０ａ（画素［１］）を発色させる場合、非選択画素６０ｂのうち、選択画素６０ａを形成する表示電極４０と非選択画素６０ｂを形成する対向電極２０とにより形成される非選択画素６０ｂ１（図６（ｂ）の画素［２］）において、当該非選択画素６０ｂ１を形成する表示電極４０は選択画素６０ａを形成する表示電極４０であるため、当該非選択画素６０ｂ１を形成する表示電極４０の電位は、図８の上段に示すように、最初の第１期間Ｐ１では電位Ｖ１になり、次の第２期間Ｐ２では電位Ｖ５になる。また、当該非選択画素６０ｂ１を形成する対向電極２０の電位は、図８の中段に実線で示すように、第１期間Ｐ１と第２期間Ｐ２とに亘って電位Ｖ３になる。したがって、当該非選択画素６０ｂ１を形成する表示電極４０と当該非選択画素６０ｂ１を形成する対向電極２０との間には、図８の下段に実線で示すように、最初の第１期間Ｐ１で電位差「Ｖ１−Ｖ３」（＞０）の電圧が印加され、次の第２期間Ｐ２で電位差「Ｖ５−Ｖ３」（＜０）の電圧が印加される。
すなわち、非選択画素６０ｂ１（画素［２］）には、第１期間Ｐ１で、画素６０を発色させるための通電（選択画素６０ａを形成する表示電極４０と当該選択画素６０ａを形成する対向電極２０との間（選択画素６０ａ（画素［１］））に対する、第１期間Ｐ１での通電。以下「発色通電」という）と同じ方向の電圧が印加される。そのため、選択画素６０ａを形成する表示電極４０と非選択画素６０ｂを形成する対向電極２０との間（非選択画素６０ｂ１（画素［２］））に第１期間Ｐ１で蓄積された電荷を除去しなければ、当該電荷が残存し、画像の滲み（特に、表示電極４０に沿った線状の滲み）の原因になってしまう。
【００８６】
そこで、本実施形態において、第１期間Ｐ１の長さ及び第２期間Ｐ２の長さと、電位Ｖ１、電位Ｖ３及び電位Ｖ５とは、第１期間Ｐ１で選択画素６０ａを形成する表示電極４０と非選択画素６０ｂを形成する対向電極２０との間（非選択画素６０ｂ１（画素［２］））に蓄積された電荷が第２期間Ｐ２でほぼ除去される値となるよう設定されている。
具体的には、例えば、第２期間Ｐ２の長さは、第１期間Ｐ１の長さと略同一に設定され、電位Ｖ５と電位Ｖ３との差（具体的には、電位Ｖ５と電位Ｖ３との差の絶対値）｜Ｖ５−Ｖ３｜は、電位Ｖ１と電位Ｖ３との差（具体的には、電位Ｖ１と電位Ｖ３との差の絶対値）｜Ｖ１−Ｖ３｜よりも大きく設定されている。
これにより、選択画素６０ａを形成する表示電極４０と非選択画素６０ｂを形成する対向電極２０との間（非選択画素６０ｂ１（画素［２］））に第１期間Ｐ１で蓄積された電荷を、第２期間Ｐ２での通電（画素６０を発色させるための通電とは逆方向の通電。以下「消色通電」という。）によって除去することができるので、画像の滲みを抑制することが可能となる。
特に、非選択画素６０ｂを形成する対向電極２０の電位等を制御して、第１期間Ｐ１で選択画素６０ａを形成する表示電極４０と非選択画素６０ｂを形成する対向電極２０との間（非選択画素６０ｂ１（画素［２］））に蓄積される電荷の量を確実に把握することで、これらの電極間に蓄積された電荷が確実に除去されるよう、選択画素６０ａを形成する表示電極４０の電位や、第１期間Ｐ１の長さ、第２期間Ｐ２の長さ等を制御することが可能となる。したがって、非選択画素６０ｂを形成する対向電極２０の電位等を制御しない場合と比較して、これらの電極間に電荷が残存することを確実に防止することが可能となる。その結果、画像の滲みを的確に抑制することができ、高品質な画像を表示することが可能となる。
【００８７】
また、本実施形態において、電位Ｖ５は、Ｖ５≧Ｖ４となるよう設定されている。
これにより、選択画素６０ａを形成する表示電極４０と当該選択画素６０ａを形成する対向電極２０との間（選択画素６０ａ（画素［１］））の第２期間Ｐ２での電位差「Ｖ５−Ｖ４」が「Ｖ５−Ｖ４」≧０になる。すなわち、選択画素６０ａ（画素［１］）には、第２期間Ｐ２で消色通電と同じ方向の電圧が印加されないので、第２期間Ｐ２で消色通電と同じ方向の電圧が印加される場合と比較して、コントラスト比が維持され、より高品質な画像を表示することが可能となる。
なお、電位Ｖ５は、Ｖ５≧Ｖ４であれば適宜任意に変更可能であり、第１期間Ｐ１と第２期間Ｐ２とが略同じ場合、好ましくは−Ｖ１≦Ｖ５＜０（ただし、Ｖ１＞０）である。
また、図７の下段では、電位差「Ｖ５−Ｖ４」を「Ｖ５−Ｖ４」＝０としているが、図示する電位や電位差は一例であり、電位差「Ｖ５−Ｖ４」は「Ｖ５−Ｖ４」＞０であってもよい。
【００８８】
また、本実施形態において、電位Ｖ２は、Ｖ２＜０となるよう設定され、電位Ｖ３は、Ｖ３＞０となるよう設定されている。
これにより、非選択画素６０ｂを形成する表示電極４０と非選択画素６０ｂを形成する対向電極２０との間の電位差「Ｖ２−Ｖ３」が「Ｖ２−Ｖ３」＜０になる。すなわち、非選択画素６０ｂを形成する表示電極４０と非選択画素６０ｂを形成する対向電極２０との間には、消色通電と同じ方向の電圧が印加されるので、残存する電荷を確実に除去することができる。したがって、画像の滲みをより的確に抑制することができ、より高品質な画像を表示することが可能となる。なお、本実施形態において、電位差「Ｖ２−Ｖ３」は、エレクトロクロミック表示デバイス１００の電流−電圧特性において電流が流れない範囲に設定されている。
【００８９】
このように、各数値（表示電極４０に供給される電位（電位Ｖ１、Ｖ２、Ｖ５）、対向電極２０に供給される電位（電位Ｖ３、Ｖ４）、第１期間Ｐ１や第２期間Ｐ２の長さ）を規定することによって、滲みの少ない高品質な画像を表示することが可能となる。
しかしながら、各数値（表示電極４０に供給される電位（電位Ｖ１、Ｖ２、Ｖ５）、対向電極２０に供給される電位（電位Ｖ３、Ｖ４）、第１期間Ｐ１や第２期間Ｐ２の長さ）を規定するだけでは、ユーザ所望の発色濃度の画像を高速に表示できない場合がある。
【００９０】
前述したように、本実施形態では、表示電極４０に沿った線状の滲みを抑制するために、例えば、第２期間Ｐ２の長さを、第１期間Ｐ１の長さと略同一に設定し、電位Ｖ５と電位Ｖ３との差｜Ｖ５−Ｖ３｜を、電位Ｖ１と電位Ｖ３との差｜Ｖ１−Ｖ３｜よりも大きく設定している。すなわち、図８の下段に実線で示すように、選択画素６０ａを形成する表示電極４０と非選択画素６０ｂを形成する対向電極２０とにより形成される非選択画素６０ｂ１（画素［２］）への第２期間Ｐ２での通電量を、第１期間Ｐ１での通電量よりも多くして、第１期間Ｐ１での通電（発色通電）で生じた電荷を、第２期間Ｐ２での通電（消色通電）で除去するようになっている。その一方で、非選択画素６０ｂ１（画素［２］）における第２期間Ｐ２での消色通電の影響が選択画素６０ａ（画素［１］）にまで及んで、選択画素６０ａ（画素［１］）の発色濃度が上昇しない場合がある。また、選択画素６０ａ（画素［１］）の発色が両脇の非選択画素６０ｂ１（画素［２］）における消色通電の影響で削られて、発色画素の幅（特に、表示電極４０方向の幅）が狭まってしまう場合もある。発色画素の幅が狭まると、発色画素のサイズが小さくなったり、発色画素間に無発色の隙間ができたりして、見た目上、発色濃度が低く感じられてしまう。
【００９１】
なお、非選択画素６０ｂを形成する表示電極４０と選択画素６０ａを形成する対向電極２０とにより形成される非選択画素６０ｂ２（画素［３］）においては、第１期間Ｐ１と第２期間Ｐ２とに亘って電位差「Ｖ２−Ｖ４」の電圧が印加されるが、図９の下段に示すように、電位差「Ｖ２−Ｖ４」は「Ｖ２−Ｖ４」＞０である。すなわち、非選択画素６０ｂ２（画素［３］）には、発色通電と同じ方向の電圧が印加され、消色通電と同じ方向の電圧は印加されないので、選択画素６０ａ（画素［１］）の発色に悪影響を与えることはない。ところで、本実施形態において、電位差「Ｖ２−Ｖ４」は、電流は流れるが発色しない範囲に設定されている。したがって、本実施形態において、非選択画素６０ｂ２（画素［３］）は、発色反応は起こらないが発色反応が起こる状態に近い状態になって、選択画素６０ａ（画素［１］）に発色し易い状況を提供している。
【００９２】
また、非選択画素６０ｂを形成する表示電極４０と非選択画素６０ｂを形成する対向電極２０とにより形成される非選択画素６０ｂ（画素［４］）においては、図１０の下段に示すように、第１期間Ｐ１と第２期間Ｐ２とに亘って電位差「Ｖ２−Ｖ３」の電圧（消色通電と同じ方向の電圧）が印加されるが、前述したように、本実施形態において、電位差「Ｖ２−Ｖ３」は、エレクトロクロミック表示デバイス１００の電流−電圧特性において電流が流れない範囲に設定されている。したがって、本実施形態において、非選択画素６０ｂ（画素［４］）は、選択画素６０ａ（画素［１］）の発色に対し何の影響も与えない。
【００９３】
このように、回路切替スイッチ４３０が非選択表示用電位出力回路４２０に直接接続され、回路切替スイッチ２３０が非選択対向用電位出力回路２２０に直接接続されている場合、高品質な画像を表示することはできるものの、非選択画素６０ｂ１（画素［２］）における消色通電の影響によって選択画素６０ａ（画素［１］）の発色濃度がなかなか上昇せず（すなわち、１フレーム分の画像を表示する処理１回あたりの選択画素６０ａ（画素［１］）の発色濃度が低く）、ユーザ所望の発色濃度の画像を高速に表示できない場合がある。
【００９４】
そこで、選択画素６０ａ（画素［１］）の発色に対する非選択画素６０ｂ１（画素［２］）における消色通電の影響を抑制するために、本実施形態では、回路切替スイッチ２３０と非選択対向用電位出力回路２２０との間に抵抗２２０ａを追加した。
抵抗２２０ａを追加する場合も、抵抗２２０ａを追加しない場合（すなわち、回路切替スイッチ２３０と非選択対向用電位出力回路２２０とが直接接続されている場合）と同様、非選択画素６０ｂ１（画素［２］）には発色通電と同じ方向の電圧や消色通電と同じ方向の電圧が印加されるが、抵抗２２０ａを追加することで非選択画素６０ｂ１（画素［２］）に印加される電圧が抵抗分圧によって小さくなる。すなわち、非選択対向用電位出力回路２２０からの出力を変化させずに電位Ｖ３のままとしても、抵抗２２０ａを介して非選択画素６０ｂを形成する対向電極２０と非選択対向用電位出力回路２２０とを接続することで分圧が起こり、当該対向電極２０に供給される電位が電位Ｖ３ではなく抵抗２２０ａによる分圧電位になる。具体的には、図８の中段に一点鎖線で示すように、当該対向電極２０の電位は、第１期間Ｐ１で電位Ｖ１と電位Ｖ３との間の分圧電位Ｖ３１（Ｖ３＜Ｖ３１＜Ｖ１）となり、第２期間Ｐ２で電位Ｖ５と電位Ｖ３との間の分圧電位Ｖ３２（Ｖ５＜Ｖ３２＜Ｖ３）となる。
【００９５】
したがって、図８の下段に一点鎖線で示すように、非選択画素６０ｂ１（画素［２］）には、第１期間Ｐ１で電位差「Ｖ１−Ｖ３」よりもゼロに近い電位差「Ｖ１−Ｖ３１」の電圧が印加されるので、非選択画素６０ｂ１（画素［２］）における第１期間Ｐ１での通電量が少なくなり、表示電極４０に沿って線状に拡がる滲みを抑制することが可能となる。
また、非選択画素６０ｂ１（画素［２］）には、第２期間Ｐ２で電位差「Ｖ５−Ｖ３」よりもゼロに近い電位差「Ｖ５−Ｖ３２」の電圧が印加されるので、非選択画素６０ｂ１（画素［２］）における第２期間Ｐ２での通電量が少なくなり、選択画素６０ａ（画素［１］）の発色に対する非選択画素６０ｂ１（画素［２］）における消色通電の影響を抑制することが可能となる。したがって、発色濃度の上昇度合いが高くなり、発色速度を向上させることが可能となる。
【００９６】
また、回路切替スイッチ４３０と非選択表示用電位出力回路４２０との間に抵抗４２０ａを追加することによって、非選択表示用電位出力回路４２０からの出力を変化させずに電位Ｖ２のままとしても、当該表示電極４０に供給される電位は電位Ｖ２ではなく抵抗４２０ａによる分圧電位（電位Ｖ２と電位Ｖ４との間の分圧電位）になる。したがって、非選択画素６０ｂ２（画素［３］）には、電位差「Ｖ２−Ｖ４」（図９の下段参照）よりもゼロに近い電位差の電圧が印加されるので、非選択画素６０ｂ２（画素［３］）を流れる電流（すなわち、画像表示には必要のない反応を引き起こす電流）を低減する事が可能となる。このように、中間電位Ｖ２、Ｖ３によって流れる電流は、画像表示には必要ない余計な化学反応を引き起こすが、抵抗２２０ａ，４２０ａを追加することによって当該余計な化学反応を抑制することができるので、エレクトロクロミック表示デバイス１００を長寿命化することが可能となる。
また、抵抗２２０ａ，４２０ａを追加することによって電流制限がかかるので、エレクトロクロミック表示デバイス１００の消費電力を低減化することも可能となる。
【００９７】
＜実施例＞
以下に、具体的な実施例によって本発明を更に詳細に説明するが、本発明はこれらに限定されるものではない。
【００９８】
（エレクトロクロミック表示デバイスの作製）
第２基板３０として、０．７ｍｍ厚の矩形状の無アルカリガラス基板を用い、その一方の面（下面）に、ＩＴＯをスパッタ形成した。スパッタされたＩＴＯは、膜厚２００ｎｍ、表面抵抗１０Ω／□であった。スパッタ形成されたＩＴＯを、フォトリソグラフィー法を用いて、ストライプ幅０．４２ｍｍ、ピッチ０．４５ｍｍとして、ストライプ状にパターン形成し、表示電極４０…を作製した。
同様に、第１基板１０として、矩形状の無アルカリガラス基板を用い、その一方の面（上面）に、膜厚３００ｎｍの金をスパッタ形成し、フォトリソグラフィー法を用いてストライプ幅０．４０ｍｍ、ピッチ０．４５ｍｍとして、ストライプ状にパターン形成した。引き続き、当該金のストライプパターン上に、膜厚２００ｎｍのＩＴＯをスパッタ形成した。その後、金パターンのスペース部分にＩＴＯのスペース部分が重なるように、フォトリソグラフィーを用いて、幅０．４２ｍｍ、ピッチ０．４５ｍｍのＩＴＯのストライプ状パターンを金のストライプパターン上に形成し、対向電極２０…を作製した。
【００９９】
次に、下記組成になる分散物Ａをボールミル分散にて調整し、膜厚１０μｍとなるように、対向電極２０…上に吸着剤５３の層（吸着層）を形成した。
分散物Ａの組成は、
吸着剤５３（酸化アルミニウム；日本軽金属製、活性アルミナＣ２００）  ２ｇ、
二酸化チタン（石原産業製、二酸化チタンＣＲ−９３）  ２ｇ、
部分鹸化型ポリビニルアルコール（試薬、関東化学製）０．２ｇ、
蒸留水  ２０ｇ、
である。
【０１００】
次いで、スペーサ５１（粒状体（積水化学工業製ミクロパール（粒径５０μｍ）））と、所定の添加物（表示品質劣化抑制剤、ポリマー化合物等）が添加されたエレクトロクロミック組成物５２（以下、「エレクトロクロミック組成物Ａ」と呼ぶ）とを混ぜて溶解したものを、対向電極２０…の上に形成された吸着層を有する第１基板１０と、表示電極４０…が形成された第２基板３０とで挟んだ。そして、対向電極２０…と表示電極４０…とが直交し、その直交部が画素６０…となるように調整することによって、エレクトロクロミック表示デバイス１００（以下「表示デバイスＡ」という）を作製した。
エレクトロクロミック組成物Ａの組成は
支持電解質：１−ブチルピリジニウムヘキサフルオロホスファート（上記の式（９））  １４５ｍｇ、
極性溶剤：プロピレンカーボネート  １．０ｇ、ジメチルスルフォキシド  １．０ｇ、
ロイコ染料：下記の式（３０）に示すブラックに発色するロイコ染料  ２００ｍｇ、
ハイドロキノン誘導体：２，５−ジターシャリーブチルハイドロキノン  １６７ｍｇ、
カルボニル基を有する化合物：ベンゾイルアセトン  １２２ｍｇ、２，６−ジターシャリーブチルベンゾキノン  ３５ｍｇ、
ポリマー化合物：ポリビニルブチラール（積水化学製エスレックＢＨ−３）  ５０ｍｇ、
ゲル化剤：下記式（３１）に示す有機溶媒用ゲル化剤  ６０ｍｇである。
【化５】
0005891755.tif 000009
【化６】
0005891755.tif 000010
【０１０１】
（表示動作）
表示デバイスＡが備えるライン電極（対向電極２０）及びデータ電極（表示電極４０）に、それぞれ第１電圧切替部２００…及び第２電圧切替部４００…を接続し、エレクトロクロミック表示デバイス１００として表示デバイスＡを有する表示装置１０００を作製した。なお、抵抗２２０ａと抵抗４２０ａの抵抗値はともに５０Ωとした。
【０１０２】
次いで、パッシブマトリクス駆動法を用いて、表示のための通電を行った。
具体的には、１ライン当たり１ｍ秒の速度で、Ｖ１＝＋１．７Ｖ、Ｖ５＝−１．７Ｖ、Ｖ２＝−０．２Ｖ、Ｖ３＝＋０．２Ｖ、Ｖ４＝−１．７Ｖ、Ｐ１＝０．５ミリ秒、Ｐ２＝０．５ミリ秒として、１フレーム分の画像を表示する処理を所定回数繰り返し行った。
【０１０３】
また、比較例として、回路切替スイッチ４３０が非選択表示用電位出力回路４２０に直接接続され、回路切替スイッチ２３０が非選択対向用電位出力回路２２０に直接接続されている表示デバイスＢを作製して、表示デバイスＡの場合と同様に、１フレーム分の画像を表示する処理を所定回数繰り返し行った。すなわち、比較例は、回路切替スイッチ４３０が非選択表示用電位出力回路４２０に直接接続され、回路切替スイッチ２３０が非選択対向用電位出力回路２２０に直接接続されている点のみが実施例と異なる。
【０１０４】
（結果）
実施例で得られた画像の一部を図１１（ａ）に示し、比較例で得られた画像の一部を図１１（ｂ）に示す。無論、図１１（ａ）及び図１１（ｂ）において１フレーム分の画像を表示する処理の繰り返し回数は統一している。
比較例で得られた画像は、図１１（ｂ）に示すように、画像の滲みがなく高品質な画像であると言える。
これに対し、実施例で得られた画像は、図１１（ａ）に示すように、画像の滲みがなく高品質な画像であるだけでなく、比較例で得られた画像よりも発色濃度が高く鮮明であることが分かった。
【０１０５】
また、実施例で得られた画像の発色濃度（選択画素６０ａの発色濃度）と、比較例で得られた画像の発色濃度（選択画素６０ａの発色濃度）との経時変化を図１２に示す。
実施例においても、比較例においても、時間の経過に伴い（すなわち、１フレーム分の画像を表示する処理の繰り返し回数の増加に伴い）発色濃度が高くなっているが、実施例の方が、比較例よりも発色濃度の上昇度合いが大きく、発色速度が速いことが分かった。すなわち、実施例の方が、少ない処理回数（１フレーム分の画像を表示する処理の繰り返し回数）でユーザ所望の発色濃度の画像をエレクトロクロミック表示デバイス１００に表示できること分かった。
【０１０６】
また、実施例において、発色濃度の上昇度合いは表示画像によって変化することも分かった。具体的には、市松模様や全黒のような発色画素数や発色面積が大きい画像ほど、非選択画素６０ｂ１（画素［２］）に生じる電位差が小さくなり、発色濃度の上昇度合いがより高くことが分かった。
【０１０７】
以上の結果から、非選択画素６０ｂを形成する対向電極２０の電位等を制御して、第１期間Ｐ１で非選択画素６０ｂ１（画素［２］）に蓄積された電荷を、第２期間Ｐ２でほぼ除去することによって、１ｍ秒／ラインの高速スキャンを行っても、画像の滲みを抑制することが可能となり、高品質な画像を表示できることが分かった。
さらに、抵抗２２０ａを介して非選択画素６０ｂを形成する対向電極２０と非選択対向用電位出力回路２２０とを接続することによって、選択画素６０ａ（画素［１］）の発色に対する非選択画素６０ｂ１（画素［２］）における消色通電の影響が抑制されて発色速度を向上させることが可能となり、高速で画像（ユーザ所望の発色濃度の画像）を表示できることが分かった。
【０１０８】
なお、実施例における、表示電極４０に供給される電位（電位Ｖ１、Ｖ２、Ｖ５）、対向電極２０に供給される電位（電位Ｖ３、Ｖ４）、第１期間Ｐ１や第２期間Ｐ２の長さ、抵抗２２０ａ，４２０ａの抵抗値は、一例であり、エレクトロクロミック表示デバイス１００の構成（具体的には、エレクトロクロミック組成物５２の組成、対向電極２０や表示電極４０の材質等）によって適宜任意に変更可能である。
【０１０９】
以上説明した本発明の表示装置１０００によれば、第１基板１０と、第１基板１０の上面に設けられた対向電極２０と、第１基板１０の上方に当該第１基板１０に対向して設けられ、透明な材料により形成された第２基板３０と、第２基板３０の下面に設けられ、少なくとも一部が透明な電極材料により形成された表示電極４０と、第１基板１０と第２基板３０との間に設けられたエレクトロクロミック組成物層５０と、を備え、対向電極２０と表示電極４０との間の通電によって表示を実施するとともに、対向電極２０と表示電極４０との間の当該表示のための通電とは逆方向の通電によって当該表示の消去を実施するパッシブマトリクス駆動のエレクトロクロミック表示デバイス１００を備える表示装置１０００において、対向電極２０は、並行して延びる複数の電極であり、表示電極４０は、対向電極２０と直交する方向に並行して延びる複数の電極であり、対向電極２０と表示電極４０とが立体交差する領域に画素６０が形成されており、非選択画素６０ｂを形成する表示電極４０に接続され、電位Ｖ２を出力する非選択表示用電位出力回路４２０（非選択表示用電位出力手段）と、非選択画素６０ｂを形成する対向電極２０に接続され、電位Ｖ３を出力する非選択対向用電位出力回路２２０（非選択対向用電位出力手段）と、選択画素６０ａを形成する表示電極４０に接続され、所定の電位を出力する選択表示用電位出力回路４１０（選択表示用電位出力手段）と、選択画素６０ａを形成する対向電極２０に接続され、電位Ｖ４（Ｖ４＜Ｖ３）を出力する選択対向用電位出力回路２１０（選択対向用電位出力手段）と、エレクトロクロミック表示デバイス１００に所定の画像を表示させる制御部６００（表示制御手段）と、を備え、制御部６００は、選択画素６０ａを形成する対向電極２０と当該選択画素６０ａを形成する表示電極４０との間の表示のための通電を行う期間を２つの期間に分割して、最初の第１期間Ｐ１では、最初の第１期間では、選択表示用電位出力回路４１０から電位Ｖ１（Ｖ１＞Ｖ２、Ｖ１＞Ｖ３）が出力されるよう制御するとともに、次の第２期間では、選択表示用電位出力回路４１０から電位Ｖ５（Ｖ５＜Ｖ３）が出力されるよう制御し、第１期間Ｐ１の長さ及び第２期間Ｐ２の長さと、電位Ｖ１、電位Ｖ３及び電位Ｖ５とは、第１期間Ｐ１で選択画素６０ａを形成する表示電極４０と非選択画素６０ｂを形成する対向電極２０との間に蓄積された電荷が第２期間Ｐ２でほぼ除去される値となるよう設定され、非選択対向用電位出力回路２２０は、抵抗２２０ａを介して対向電極２０に接続されるように構成されている。
【０１１０】
したがって、選択画素６０ａを形成する表示電極４０と非選択画素６０ｂを形成する対向電極２０との間に第１期間Ｐ１で蓄積された電荷を、第２期間Ｐ２での通電によってほぼ除去することができるので、当該電荷が残存することを防止することが可能となる。これにより、画像の滲みを抑制することが可能となり、高品質な画像を表示することができる。
また、非選択対向用電位出力回路２２０は抵抗２２０ａを介して非選択画素６０ｂを形成する対向電極２０に接続されるので、選択画素６０ａの発色に対する、選択画素６０ａを形成する表示電極４０と非選択画素６０ｂを形成する対向電極２０とにより形成される非選択画素６０ｂ１における消色通電の影響を抑制することが可能となる。これにより、発色速度を向上させることが可能となり、高速で画像（ユーザ所望の発色濃度の画像）を表示することができる。さらに、抵抗２２０ａを追加することによって電流制限がかかるので、エレクトロクロミック表示デバイス１００の消費電力を低減することも可能となる。
【０１１１】
また、以上説明した本発明の表示装置１０００によれば、非選択表示用電位出力回路４２０は、抵抗４２０ａを介して表示電極４０に接続されるように構成されている。
【０１１２】
したがって、抵抗２２０ａだけでなく抵抗４２０ａも追加することによって、より一層電流制限がかかるので、エレクトロクロミック表示デバイス１００の消費電力をより一層低減することも可能となる。
【０１１３】
また、以上説明した本発明の表示装置１０００によれば、第２期間Ｐ２の長さは、第１期間Ｐ１の長さと略同一に設定され、電位Ｖ５と電位Ｖ３との差｜Ｖ５−Ｖ３｜は、電位Ｖ１と電位Ｖ３との差｜Ｖ１−Ｖ３｜よりも大きく設定されている。
【０１１４】
したがって、選択画素６０ａを形成する表示電極４０と非選択画素６０ｂを形成する対向電極２０との間に第１期間Ｐ１で蓄積された電荷を、第２期間Ｐ２での通電によって確実に除去することができる。
【０１１５】
また、以上説明した本発明の表示装置１０００によれば、電位Ｖ５は、Ｖ５≧Ｖ４となるよう設定されている。
【０１１６】
したがって、選択画素６０ａを形成する表示電極４０と当該選択画素６０ａを形成する対向電極２０との間には、第２期間Ｐ２で画素６０を発色させるための通電とは逆方向の電圧が印加されないので、第２期間Ｐ２で画素６０を発色させるための通電とは逆方向の電圧が印加される場合と比較して、コントラスト比が維持され、より高品質な画像を表示することが可能となる。
【０１１７】
また、以上説明した本発明の表示装置１０００によれば、電位Ｖ２は、Ｖ２＜０となるよう設定され、電位Ｖ３は、Ｖ３＞０となるよう設定されている。
【０１１８】
したがって、非選択画素６０ｂを形成する表示電極４０と非選択画素６０ｂを形成する対向電極２０との間には、画素６０を発色させるための通電とは逆方向の電圧が印加されるので、残存する電荷を確実に除去することができる。したがって、画像の滲みをより的確に抑制することができ、より高品質な画像を表示することが可能となる。
【０１１９】
なお、本発明は、上記した実施の形態のものに限るものではなく、その要旨を逸脱しない範囲で適宜変更可能である。
【０１２０】
上記実施形態では、第２期間Ｐ２の長さを、第１期間Ｐ１の長さと略同一に設定し、電位Ｖ５と電位Ｖ３との差｜Ｖ５−Ｖ３｜を、電位Ｖ１と電位Ｖ３との差｜Ｖ１−Ｖ３｜よりも大きく設定したが、これに限定されるものではない。第１期間Ｐ１の長さ及び第２期間Ｐ２の長さや、電位Ｖ１、電位Ｖ３及び電位Ｖ５は、第１期間Ｐ１で選択画素６０ａを形成する表示電極４０と非選択画素６０ｂを形成する対向電極２０との間に蓄積された電荷が第２期間Ｐ２でほぼ除去される値となるのであれば、適宜任意に変更可能である。
また、上記実施形態では、非選択対向用電位出力回路２２０を、抵抗２２０ａを介して非選択画素６０ｂを形成する対向電極２０に接続するとともに、非選択表示用電位出力回路４２０を、抵抗４２０ａを介して非選択画素６０ｂを形成する表示電極４０に接続するように構成したが、これに限ることはなく、少なくとも、非選択対向用電位出力回路２２０が、抵抗２２０ａを介して非選択画素６０ｂを形成する対向電極２０に接続されるのであれば、非選択表示用電位出力回路４２０は、抵抗４２０ａを介して非選択画素６０ｂを形成する表示電極４０に接続されていなくてもよい。
【符号の説明】
【０１２１】
１０  第１基板
２０  対向電極
３０  第２基板
４０  表示電極
５０  エレクトロクロミック組成物層
６０  画素
６０ａ  選択画素
６０ｂ  非選択画素
１００  エレクトロクロミック表示デバイス
２１０  選択対向用電位出力回路（選択対向用電位出力手段）
２２０  非選択対向用電位出力回路（非選択対向用電位出力手段）
２２０ａ  抵抗
４１０  選択表示用電位出力回路（選択表示用電位出力手段）
４２０  非選択表示用電位出力回路（非選択表示用電位出力手段）
４２０ａ  抵抗
６００  制御部（表示制御手段）
１０００  表示装置
Ｐ１  第１期間
Ｐ２  第２期間
【図１】
0005891755.tif 000011
【図２】
0005891755.tif 000012
【図３】
0005891755.tif 000013
【図４】
0005891755.tif 000014
【図５】
0005891755.tif 000015
【図６】
0005891755.tif 000016
【図７】
0005891755.tif 000017
【図８】
0005891755.tif 000018
【図９】
0005891755.tif 000019
【図１０】
0005891755.tif 000020
【図１２】
0005891755.tif 000021
【図１３】
0005891755.tif 000022
【図１１】
0005891755.tif 000023